(57)【要約】  アラーム機能を有するインテリジェントウェアラブルデバイス（１）およびシステムは、アラーム検出装置（１１）と、主制御装置（１２）と、証拠収集装置（１４）と、アラーム送信装置（１３）と、を含む。アラーム検出装置（１１）が、異常な状況が発生したと判定すると、アラーム検出装置（１１）は、主制御装置（１２）にアラーム信号を送信し、主制御装置（１２）は、アラーム信号に基づいてアラームを発出し、証拠収集装置（１４）は、証拠収集情報を取得し、アラーム送信装置（１３）はアラーム情報および証拠収集情報をバックグラウンド作業サーバ（２）に送信する。インテリジェントウェアラブルデバイス（１）およびシステムは、様々なアラーム発出方法をサポートしており、バックグラウンド作業サーバ（２）にアラーム情報を自動的に送信し、また、同時に該アラーム情報を指定された連絡人にも送信することができ、バックグラウンド作業サーバ（２）は、警告状態が処理され、環境安全モニタリング機能および食品安全モニタリング機能が達成され、アラームを受け取る人がいない状況を回避できるように、該アラーム情報を、公共安全局、衛生局、防火局、交通管理局などに送信する。【選択図】図１
2018500627.tif 000002
【特許請求の範囲】
【請求項１】
アラーム機能を有するインテリジェントウェアラブルデバイスであって、前記デバイスは、
アラーム信号に応じてアラーム処理を行う主制御装置と、
異常な状況が発生したと判定したとき、前記主制御装置に前記アラーム信号を送信するためのアラーム検出装置と、
前記主制御装置から送信された制御コマンドに従って、音声、映像、画像、および文字を含む証拠収集情報を取得するための証拠収集装置と、
前記主制御装置から送信された前記制御コマンドに従って、アラーム情報および前記証拠収集情報をバックグラウンド作業サーバに送信するためのアラーム送信装置と、
を含み、
前記主制御装置は、前記アラーム検出装置、前記証拠収集装置、前記アラーム送信装置に、それぞれ電気的に接続される、
ウェアラブルデバイス。
【請求項２】
前記アラーム検出装置が、前記主制御装置に電気的に接続され、ユーザがアラームボタン押したとき前記主制御装置にアラーム信号を送信する前記アラームボタンを含む、
請求項１に記載の装置。
【請求項３】
前記アラーム検出装置が、前記主制御装置に電気的に接続された心拍モニタリングユニットを含み、前記心拍モニタリングユニットは、パルスセンサによって照射光が人間の手首に当てられ、人間の組織によって減衰され吸収されて得られた反射光が電気信号に変換される前記パルスセンサを備え、
前記心拍モニタリングユニットは、人間の脈拍と同期するパルス信号を得るため、前記電気信号を増幅し成形し、
前記心拍モニタリングユニットが、前記パルス信号の周波数が事前設定された周波数安全閾値を超えていると判定した場合、前記心拍モニタリングユニットは、前記アラーム信号を前記主制御装置に送信する、
請求項１に記載の装置。
【請求項４】
前記アラーム検出装置は、
前記主制御装置に電気的に接続され、環境サウンドのデシベル値が前記事前設定高デシベル閾値より高い、または設定されたキーワードが前記環境サウンド中に生じたと判定すると、前記主制御装置に前記アラーム信号を送信するために用いられる、音声処理ユニットと、
前記音声処理ユニットに電気的に接続され、リアルタイムで前記環境サウンドを収集し、前記環境サウンドを前記音声処理ユニットに送信するためのピックアップと、
を含む、
請求項１に記載の装置。
【請求項５】
前記アラーム検出装置は、前記主制御装置に電気的に接続され、中国北斗航行衛星システム（ＢＤＳ）またはＧＰＳを用いてユーザの位置を取得し、前記位置情報を前記主制御装置に送信する測位ユニットを含み、前記主制御装置は、前記主制御装置が前記ユーザの位置が設定された安全区域を越えていると判定した場合、前記アラーム処理を実施する、
請求項１に記載の装置。
【請求項６】
前記アラーム検出装置は、前記主制御装置に電気的に接続され、収集された機械的量を電気信号に変換し、電圧信号を出力する前に前記電気信号を増幅するための振動センサを備える振動検出ユニットを含み、
前記振動検出ユニットは、前記電圧信号の電圧値が事前設定された電圧安全閾値を超えていると判定すると、前記主制御装置に低レベルアラーム信号を送信する、
請求項１に記載の装置。
【請求項７】
前記アラーム検出装置は、前記主制御装置に電気的に接続され、前記環境エア中の臭気または毒性および有害ガスの濃度情報を電気信号に変換するためのガスセンサを備えたガス感知ユニットを含み、前記毒性および有害ガスには、ホルムアルデヒド、ベンゼン、またはアルコールガスが含まれ、前記臭気には、食品の腐敗または殺虫剤残渣から生じる匂いが含まれ、
前記ガス感知ユニットは、前記電気信号の電圧値が事前設定された安全閾値を超えていると判定すると前記インテリジェントウェアラブルデバイスを振動させるように制御する前記主制御装置に、アラーム信号を送信する、
請求項１に記載の装置。
【請求項８】
前記証拠収集装置が、
前記主制御装置に電気的に接続された音声処理ユニットと、
前記音声処理ユニットに電気的に接続され、前記主制御装置が前記アラーム情報を受信した後、リアルタイムで環境サウンドを収集し、前記環境サウンドを前記音声処理ユニットに送信するためのピックアップと、
を含み、
前記音声処理ユニットが、前記環境サウンドを送信可能な音声証拠収集情報として符号化し圧縮する、
請求項１に記載の装置。
【請求項９】
前記証拠収集装置が、
リアルタイムに映像データをＲＡＷフォーマットで収集するためのカメラと、
前記主制御装置に電気的に接続され、前記映像データをリアルタイムで前記主制御装置に送信する映像収集ユニットであって、前記主制御装置が前記映像データを送信可能な映像または画像証拠収集情報として符号化し圧縮する、前記映像収集ユニットと、
を含む、
請求項１に記載の装置。
【請求項１０】
前記アラーム送信装置は、前記主制御装置に電気的に接続され、文字、映像、画像、人声情報、ＢＤＳ位置およびショートメッセージ情報、ならびにＧＰＳ位置情報を含むアラーム情報を、様々な通信モードで前記バックグラウンド作業サーバに送信できる２Ｇ／３Ｇワイヤレスモジュール、ＧＰＲＳモジュール、またはｗｉｆｉモジュールを備える通信ユニットを含む、
請求項１に記載の装置。
【請求項１１】
前記主制御装置が、前記アラーム情報を受信したとき、前記アラーム情報および前記証拠収集情報を事前設定された連絡者へ送信するため、前記通信モジュールを制御する、
請求項１０に記載の装置。
【請求項１２】
前記主制御装置に電気的に接続され、マイクロ−ＳＤインターフェースを備え、前記アラーム情報および前記証拠収集情報をローカルに格納できる格納ユニットと、
前記主制御装置に電気的に接続され、文字画像および映像を含む情報を表示し、ユーザの設定した情報を前記主制御装置に送信するためのタッチスクリーンを備えるディスプレイユニットと、
をさらに含む、請求項１に記載の装置。
【請求項１３】
請求項１〜１２のいずれか１項に記載の、アラーム機能を有するインテリジェントウェアラブルデバイスと、
アラーム情報に基づいてアラームを出すためのバックグラウンド作業サーバと、
を含むインテリジェントウェアラブルデバイスシステム。
【請求項１４】
前記バックグラウンド作業サーバが、前記受信されたアラーム情報を格納する、
請求項１３に記載のシステム。
【請求項１５】
前記バックグラウンド作業サーバが、前記アラーム情報を分析し、前記アラーム情報を、公共安全局システム、衛生局システム、および防火局システムを含む、アラーム処理システムに送信する、
請求項１３または１４に記載のシステム。
【発明の詳細な説明】
【技術分野】
【０００１】
本発明は、ウェアラブルデバイスの技術分野に関し、具体的には、アラーム機能を有するインテリジェントウェアラブルデバイスおよびシステムに関する。
【背景技術】
【０００２】
安全要求は個人的な生存のために基本的要求である。人々の個人的安全を確保することは、公共の秩序の維持および社会の安定の保証の重要な要素である。緊急または危険が生じた場合、公衆は、通常、呼び出しアラームを使って助力を求める。携帯通信デバイスが使えない、誘拐、ハイジャック、急病などの場合、または、子供や老人が呼び出しアラームの操作が利用できない場合、間に合うようにアラームが発行できないので窮状に陥ることが多い。前述の理由により、アラーム機能を備えたいくつかの携帯デバイスが市場に出回っており、これらは小サイズで、高度に隠ぺいされ、個人が携行するのに便利である。例えば、直接身に付けられまたはユーザの着衣またはアクセサリに組み込まれる携帯デバイスであるウェアラブルデバイスが、ソフトウェアのサポートおよびデータやり取り、またはクラウドとの相互作用によって強力な機能を実現することができる。現在、市販されているアラーム機能を有する既存の携帯デバイスは、一般に、単一のアラーム機能、数の少ないアラームトリガモード、数の少ないアラーム情報レポートモード、および遅れたアラーム処理を有し、実際の応用で望ましい応用効果を達成できない結果となっている。アラーム機能を備えた既存の携帯デバイスは以下の欠点を有する。
【０００３】
単一のアラーム機能：現在市販されているアラーム機能を有する携帯デバイスは、単一のアラーム機能および数の少ないアラームトリガモードを有し、多様な緊急事態に対処できない。市販品には、ワンタッチアラーム機能が広く用いられ、これではボタンをトリガすることによってアラームが出される。しかしながら、かかるアラームモードは、ユーザが支配されている場合、遅れずに効果的にトリガすることができない。
【０００４】
数の少ないアラームレポートモード：現在、市販されているアラーム機能を備える携帯デバイスは、一般に、携帯通信ネットワークを介してアラームをレポートするなどのアラームレポートモードを有するが、かかるレポートモードは、劣悪なネットワーク信号、またはネットワークのカバーがない地域の場合、遅れずに効果的に達成することができない。
【０００５】
遅れたアラーム処理：現在、市販されているアラーム機能を備えた携帯デバイスは、一般に、アラーム情報をさらに処理する（例えば、１１０番に助力を求める）役割を担う指定の連絡人にアラーム情報をレポートする。この場合、指定連絡人が、アラーム情報を受信するのに都合が悪い、またはアラーム情報をさらに処理することができないとき、ユーザに遅れなく効果的な助力を与えることができない。
【発明の概要】
【課題を解決するための手段】
【０００６】
前述の見地から、本発明は、アラーム機能を備えたインテリジェントウェアラブルデバイスを提供する上での技術的課題の解決を探求し、この解決策では、アラームがトリガされた後、アラーム情報はバックグラウンド作業サーバに送信される。
【０００７】
本発明による或る実施形態において、アラーム機能を有するインテリジェントウェアラブルデバイスであっては、本デバイスは、アラーム信号に応じてアラーム処理を行う主制御装置と、異常な状況が発生したと判定したとき、該主制御装置にアラーム信号を送信するためのアラーム検出装置と、主制御装置から送信された制御コマンドに従って、音声、映像、画像および文字を含む、証拠収集情報を取得するための証拠収集装置と、主制御装置から送信された制御コマンドに従って、アラーム情報および証拠収集情報を、バックグラウンド作業サーバに送信するためのアラーム送信装置と、を含み、主制御装置は、アラーム検出装置、証拠収集装置、アラーム送信装置に、それぞれ電気的に接続される。
【０００８】
本発明による或る実施形態において、さらに、アラーム検出装置が、主制御装置に電気的に接続され、ユーザがアラームボタンを押したとき主制御装置にアラーム信号を送信する該アラームボタンを含む。
【０００９】
本発明による或る実施形態において、さらに、アラーム検出装置が、主制御装置に電気的に接続された心拍モニタリングユニットを含み、該心拍モニタリングユニットは、パルスセンサによって、照射光が人間の手首に当てられ、人間の組織によって減衰され、吸収されて得られた反射光が、電気信号に変換される、パルスセンサを備え、この心拍モニタリングユニットは、人間の脈拍と同期するパルス信号を得るため該電気信号を増幅し成形し、心拍モニタリングユニットが、パルス信号の周波数が事前設定された周波数安全閾値を超えていると判定した場合、該心拍モニタリングユニットは、アラーム信号を主制御装置に送信する。
【００１０】
本発明による或る実施形態において、さらに、アラーム検出装置は、主制御装置に電気的に接続され、環境サウンドのデシベル値が事前設定の高デシベル閾値より高い、または環境サウンド中に設定されたキーワードが生じたと判定すると、主制御装置にアラーム信号を送信するために用いられる音声処理ユニットと、該音声処理ユニットに電気的に接続され、リアルタイムで環境サウンドを収集し、その環境サウンドを音声処理ユニットに送信するためのピックアップとを含む。
【００１１】
本発明による或る実施形態において、さらに、アラーム検出装置は、主制御装置に電気的に接続され、中国北斗航行衛星システム（ＢＤＳ：Ｂｅｉｄｏｕ  ｎａｖｉｇａｔｉｏｎ  ｓａｔｅｌｌｉｔｅ  ｓｙｓｔｅｍ）またはＧＰＳを用いてユーザの位置を取得し、その位置情報を主制御装置に送信する測位ユニットを含み、主制御装置は、主制御装置がユーザの位置が設定された安全区域を越えていると判定した場合、アラーム処理を実施する。
【００１２】
本発明による或る実施形態において、さらに、アラーム検出装置は、主制御装置に電気的に接続され、収集された機械的量を電気信号に変換し、電圧信号を出力する前にその電気信号を増幅するための振動センサを備える振動検出ユニットを含み、該振動検出ユニットは、電圧信号の電圧値が現在の電圧安全閾値を超えていると判定すると、主制御装置に低レベルのアラーム信号を送信する。
【００１３】
本発明による或る実施形態において、さらに、アラーム検出装置は、主制御装置に電気的に接続され、環境エア中の臭気または毒性および有害ガスの濃度情報を電気信号に変換するためのガスセンサを備えたガス感知ユニットを含み、この毒性および有害ガスには、ホルムアルデヒド、ベンゼン、またはアルコールガスが含まれ、臭気には、食品の腐敗または殺虫剤残渣から生じる匂いが含まれ、ガス感知ユニットは、電圧信号の電圧値が事前設定された電圧安全閾値を超えていると判定すると、インテリジェントウェアラブルデバイスを振動させるように制御する主制御装置に、アラーム信号を送信する。
【００１４】
本発明による或る実施形態において、さらに、証拠収集装置が、主制御装置に電気的に接続された音声処理ユニットと、音声処理ユニットに電気的に接続され、リアルタイムで環境サウンドを収集し、主制御装置がアラーム情報を受信した後、その環境サウンドを音声処理ユニットに送信するためのピックアップとを含み、音声処理ユニットが環境サウンドを送信可能な音声証拠収集情報として、符号化し圧縮する。
【００１５】
本発明による或る実施形態において、さらに、証拠収集装置が、リアルタイムに映像データをＲＡＷフォーマットで収集するためのカメラと、主制御装置に電気的に接続され、映像データをリアルタイムで主制御装置に送信する映像収集ユニットであって、主制御装置が、映像データを送信可能な映像または画像証拠収集情報として、符号化し圧縮する、映像収集ユニットと、を含む。
【００１６】
本発明による或る実施形態において、さらに、アラーム送信装置は、主制御装置に電気的に接続され、文字、映像、画像、人声情報、ＢＤＳ位置およびショートメッセージ情報、ならびにＧＰＳ位置情報を含むアラーム情報を、様々な通信モードでバックグラウンド作業サーバに送信できる２Ｇ／３Ｇワイヤレスモジュール、ＧＰＲＳモジュール、または、ｗｉｆｉモジュールを備える通信ユニットを含む。
【００１７】
本発明による或る実施形態において、さらに、主制御装置が、アラーム信号を受信したとき、アラーム情報および証拠収集情報を事前設定された連絡人に送信するため、通信モジュールを制御する。
【００１８】
本発明による或る実施形態において、さらに、主制御装置に電気的に接続され、マイクロＳＤインターフェースを備え、アラーム情報および証拠収集情報をローカルに格納できる格納ユニットと、主制御装置に電気的に接続され、文字、画像、および映像を含む情報を表示し、ユーザの設定した情報を主制御装置に送信するためのタッチスクリーンを備える表示ユニットと、を含む。
【００１９】
本発明による或る実施形態において、インテリジェントウェアラブルデバイスシステムは、前述いずれかの実施形態による、アラーム機能を有するインテリジェントウェアラブルデバイスと、アラーム情報に基づいてアラームを出すためのバックグラウンド作業サーバとを含む。
【００２０】
本発明によるさらなる実施形態。
【００２１】
本発明による或る実施形態において、さらに、バックグラウンド作業サーバが、アラーム情報を分析し、該アラーム情報を、公共安全局システム、衛生局システム、および防火局システムを含む、アラーム処理システムに送信する。
【００２２】
本発明によるアラーム機能を有するインテリジェントウェアラブルデバイスおよびシステムは、様々なアラームモードをサポートし、アラーム情報を、バックグラウンドインテリジェントアラームシステムオペレーションセンタに自動的に送信することができる。インテリジェントアラームシステムオペレーションセンタは、アラーム情報を分析、格納し、警告状態を処理するために、該情報を、公共安全局、衛生局、および防火局、および交通管理に送信する。アラームがトリガされた後、情報は、同時に携帯電話ネットワークを介して指定された連絡人に送信される。環境安全モニタリング機能および食品安全モニタリング機能の両方を達成することができる。本発明は、現今のインテリジェントデバイスが全面的なアラーム手段を欠き、市販のアラーム装置が単一のアラームトリガモードを有するという欠点を是正し、アラームを受信する人がいない、または乱れた信号のためアラームが出せないという状況を回避する。本発明は、全面的なアラーム機能、インテリジェントアラームモード、広範なトリガモード、効果的アラームモード、ならびに隠しアラームモード、および知的化された生成物を有する。
【００２３】
本明細書で説明する図面は、本発明のさらなる理解を提供し、本出願の一部としての役割を果たすために用いられる。本出願の例示的な実施形態および説明は、本発明を解説するために使われ、本発明に対する不適切な限定として機能するものではない。
【図面の簡単な説明】
【００２４】
【図１】本発明による、アラーム機能を有するインテリジェントウェアラブルデバイスの一実施形態の概略図である。
【図２】本発明による、アラーム機能を有するインテリジェントウェアラブルデバイスの別の実施形態の概略図である。
【図３】本発明による、アラーム機能を有するインテリジェントウェアラブルデバイスの警告状態の動作の概略図である。
【図４Ａ】本発明による、アラーム機能を有するインテリジェントウェアラブルデバイスのさらなる実施形態の背面概略図である。
【図４Ｂ】本発明による、アラーム機能を有するインテリジェントウェアラブルデバイスのさらなる実施形態の前面概略図である。
【図４Ｃ】本発明による、アラーム機能を有するインテリジェントウェアラブルデバイスのさらなる実施形態の下面概略図である。
【発明を実施するための形態】
【００２５】
以降に、本発明の説明のための例示的な実施形態を含め、図面を参照しながら、本発明に対するより包括的な説明を述べる。本発明の諸実施形態に伴う図面を組み合わせながら、本発明のこれら実施形態の技術ソリューションに対する明瞭且つ十分な説明を以下に述べる。当然ながら、説明される実施形態は、本発明の全実施形態でなく、その実施形態の単なる一部である。本発明のこれらの実施形態に基づいて、いかなる発明的努力もなく当業者によって得られた全ての他の実施形態は、本発明が求める保護の範囲内に含まれる。図面と実施形態とを組み合わせることによって、本発明の技術的ソリューションを、諸態様において以下に説明する。
【００２６】
本発明は、アラーム機能を有するインテリジェントウェアラブルデバイスを提供する。図１に示されるように、インテリジェントウェアラブルデバイス１０は、アラーム検出装置１１と、主制御装置１２と、証拠収集装置１４と、アラーム送信装置１３とを含む。主制御装置１２は、アラーム検出装置１１、証拠収集装置１４、およびアラーム送信装置１３に、それぞれ電気的に接続されている。
【００２７】
アラーム検出装置１１が異常な状況が発生したと判定すると、アラーム検出装置１１は、主制御装置１２にアラーム信号を送信する。主制御装置１２は、そのアラーム信号に基づいてアラーム処理を実施する。証拠収集装置１４は、主制御装置１２から送信された制御コマンドに従って、音声、映像、または他の証拠収集情報を取得する。アラーム送信装置１３は、主制御装置１２から送信された制御コマンドに従って、アラーム情報および証拠収集情報をバックグラウンド作業サーバ２０に送信する。
【００２８】
本発明による、アラーム機能を有するインテリジェントウェアラブルデバイス１０は、ボタンアラーム、人声インテリジェントアラーム、振動アラーム、心拍アラーム、または越境アラームなど様々なアラームモードをサポートすることができる。さらに、インテリジェントウェアラブルデバイス１０は、アラームをトリガした後、例えば、２Ｇ／３Ｇネットワークまたは北斗ショートメッセージを使って位置情報を送信する、リアルタイムで映像または画像を送信する、リアルタイムで音声情報を送信する、電話をかける、またはインテリジェントアラームオペレーションセンタ（バックグラウンド作業サーバ２０）に文字ショートメッセージを送信するなど、アラーム情報を自動的に送信することが可能である。
【００２９】
バックグラウンド作業サーバ２０は、アラーム情報を受信し、次いでそのアラーム情報を分析、格納して、警告状態を処理しこれにより全面的なアラーム機能およびインテリジェントアラームモード、ならびに隠しアラームモードおよび知的化された生成物をもたらすために、該アラーム情報を公共安全局、衛生局、および防火局、交通管理に送信する。
【００３０】
図２に示されるように、アラーム検出装置は、アラームボタン２１、心拍モニタリングユニット２３、音声処理ユニット２７、ピックアップ２６、測位ユニット２９、振動検出ユニット２２、ガス感知ユニット３５などを含む。
【００３１】
アラームボタン２１は、主制御装置２８に電気的に接続される。ユーザがアラームボタン２１を押すと、アラームボタン２１は主制御装置２８にアラーム信号を送信する。アラームボタン２１は、ワンタッチトリガアラームのために使用が可能で、アラーム情報は、処理のため主制御装置２８に送信される。
【００３２】
心拍モニタリングユニット２３は、主制御装置２８に電気的に接続される。
心拍モニタリングユニット２３は、パルスセンサを含む。このパルスセンサは、人間の手首に照射光を当て、人間の組織によって減衰され、吸収されて得られた反射光を電気信号に変換するため使用される。心拍モニタリングユニット２３は、人間の鼓動と同期するパルス信号を得るように、該電気信号を増幅し成形する。心拍モニタリングユニット２３が、パルス信号の周波数が例えば１００などの事前設定周波数安全閾値を超えたと判定した場合、該心拍モニタリングユニット２３は、アラーム信号を主制御装置２８に送信する。このパルスセンサは、装置の手首ストラップ上に配置された中核部品である。照射光源として緑色光、または赤色光を選ぶとよい。
【００３３】
ピックアップ２６は、音声処理ユニット２７に電気的に接続され、音声処理ユニット２７は、主制御装置２８に電気的に接続される。ピックアップ２６は、リアルタイムに環境サウンドを収集し、その環境サウンドを音声処理ユニット２７に送信する。音声処理ユニット２７が、環境サウンドのデシベル値が事前設定の高デシベル閾値より高い、または環境サウンド中に設定されたキーワードが生じたと判定した場合、音声処理ユニット２７は、主制御装置２８にアラーム信号を送信する。スピーカ３４は主制御装置によって送信された制御コマンドに従って音声情報を出力する。
【００３４】
音声処理ユニット２７のチップ群は、主として音声コーディックおよびデジタル信号プロセッサ（ＤＳＰ：ｄｉｇｉｔａｌ  ｓｉｇｎａｌ  ｐｒｏｃｅｓｓｏｒ）を含む。例えば、該ユニットは、ラインイン音声サンプリングインターフェース（ピックアップをインターフェースする）およびスピークアウト音声出力インターフェース（スピーカをインターフェースする）を有する音声チップによって実装され、該ユニットは、音声のデシベルおよびコンテンツを認識し、分析するために、ＤＳＰを使って特定のアルゴリズムにより収集された適応的差分パルス符号変調（ＡＤＰＣＭ：ａｄａｐｔｉｖｅ  ｄｉｆｆｅｒｅｎｔｉａｌ  ｐｕｌｓｅ  ｃｏｄｅ  ｍｏｄｕｌａｔｉｏｎ）音声データを組み込み、分析結果を主制御装置２８に送信する。
【００３５】
映像収集ユニット２５は、主制御装置２８に電気的に接続される。映像収集ユニット２５は、カメラ２４によって収集された映像データをＲＡＷフォーマットで、リアルタイムに主制御装置２８に送信し、主制御装置２８はその映像データを符号化し圧縮する。映像収集ユニット６は、カメラ２を使ってリアルタイムで映像情報を収集するために用いられる。
【００３６】
測位ユニット２９は、中国北斗航行衛星システム（ＢＤＳ）モジュールまたは米国地球測位システム（ＧＰＳ：ｇｌｏｂａｌ  ｐｏｓｉｔｉｏｎｉｎｇ  ｓｙｓｔｅｍ）モジュールとすることができ、位置情報を取得しそれを主制御装置２８に送信する。
【００３７】
測位ユニット２９は、主制御装置２８に電気的に接続される。測位ユニット２９が、中国北斗航行衛星システム（ＢＤＳ）またはＧＰＳを使ってリアルタイムでユーザの位置情報を取得し、その位置情報を主制御装置２８に送信する。主制御装置２８が、ユーザの位置情報が設定された安全区域を越えていると判定した場合、主制御装置２８はアラームを発出する。
【００３８】
振動検出ユニット２２は、主制御装置２８に電気的に接続される。振動検出ユニット２２は振動センサを含む。振動センサは、収集された機械的量を電気信号に変換するために使われ、振動検出ユニット２２は、電圧信号を出力する前に電気信号を増幅する。振動検出ユニット２２が、電圧信号の電圧値が事前設置された電圧全閾値を超えていると判定した場合、振動検出ユニット２２は低レベルアラーム信号を主制御装置２８に送信する。
【００３９】
振動センサは中核部品である。機械的量を収集し、その機械的量を電気信号に変換するためには光電振動センサを用いればよい。この測定ラインが、電気信号を増幅し電圧信号を出力する。電圧信号の値が、設定された安全値を超えている場合、アラーム処理のため低レベル信号が主制御装置２８に出力される。
【００４０】
ガス感知ユニット３５は、主制御装置２８に電気的に接続される。ガス感知ユニット３５はガスセンサを含む。ガスセンサは、収集された環境エア中の臭気または毒性および有害ガスの濃度情報を電気信号に変換するために使用される。ガス感知ユニット３５が、この電気信号の電圧値が事前設定された安全域値を超えていると判定した場合、ガス感知ユニット３５は、アラーム信号を主制御装置２８に送信し、主制御装置２８は、インテリジェントウェアラブルデバイスが振動するように制御する。毒性および有害ガスは、ホルムアルデヒド、ベンゼン、アルコール、または同様なガスを含む。臭気は、食品の腐敗または殺虫剤残渣などから生じる匂いを含む。
【００４１】
ガス感知ユニット３５は、環境安全モニタリングアラーム機能および食品安全モニタリングアラーム機能を有し、ユーザの必要性に応じて環境状況および食品安全状況を検出することができる。毒性および有害ガスが環境中に存在する場合、または食品の腐敗および異常が検出された場合、本デバイスは、ユーザにできるだけ早く離れるよう気付かせるために振動する。
【００４２】
証拠収集装置は、カメラ２４、映像収集ユニット２５、およびピックアップ２６を含む。ピックアップ２６は、音声処理ユニット２７に電気的に接続され、音声処理ユニット２７は、主制御装置２８に電気的に接続される。主制御装置２８がアラーム情報を受信した後、ピックアップ２６は、リアルタイムで環境サウンドを収集し、その環境サウンドを、通信可能な音声証拠収集情報として符号化および圧縮のため、音声処理ユニット２７に送信する。
【００４３】
アラーム検出装置および証拠収集装置は、ピックアップ、音声処理ユニット、および他のコンポーネントを共用してもよく、あるいは、アラーム検出装置と証拠収集装置とは、ピックアップ、音声処理ユニット、および他のコンポーネントを別々に備えてもよい。
【００４４】
映像収集ユニット２５は、主制御装置２８に電気的に接続される。映像収集ユニット２５は、リアルタイムに、カメラ２４によって収集された映像データをＲＡＷフォーマットで、主制御装置２８に送信し、次いで該装置がその映像データを符号化し圧縮する。映像収集ユニット６は、カメラ２を使ってリアルタイムで映像情報を収集するために用いられる。
【００４５】
映像収集ユニット２５の中核チップは、相補型金属酸化膜半導体（ＣＭＯＳ：ｃｏｍｐｌｅｍｅｎｔａｒｙ  ｍｅｔａｌ−ｏｘｉｄｅ  ｓｅｍｉｃｏｎｄｕｃｔｏｒ）または電荷結合素子（ＣＣＤ：ｃｈａｒｇｅ  ｃｏｕｐｌｅｄ  ｄｅｖｉｃｅ）画像センサとすればよい。映像収集ユニット２５は、モバイルインダストリプロセッサインターフェース（ＭＩＰＩ：ｍｏｂｉｌｅ  ｉｎｄｕｓｔｒｙ  ｐｒｏｃｅｓｓｏｒ  ｉｎｔｅｒｆａｃｅ）を用い、リアルタイムに収集された映像データを、符号化、圧縮のため、ＲＡＷフォーマットで主制御装置２８に送信することが可能である。
【００４６】
アラーム送信装置は通信ユニット３２を含む。通信ユニット３２は、主制御装置２８に電気的に接続される。通信ユニット３２は、２Ｇ／３Ｇワイヤレスモジュール、ＧＰＲＳモジュール、ｗｉｆｉモジュール、およびその他のモジュールを含む。通信ユニット３２は、アラーム情報を様々な通信モードでバックグラウンド作業サーバに送信することが可能である。
【００４７】
アラームがトリガされた後、本通信装置は、アラーム情報を自動的に送信し、この送信は、２Ｇ／３Ｇネットワークを使って位置情報を送信すること、北斗ショートメッセージを使って位置情報を送信すること、リアルタイムで映像および画像を送信すること、リアルタイムで音声情報を送信すること、電話をかけること、または、インテリジェントアラームシステムオペレーションセンタに文字ショートメッセージを送信すること、を含む。主制御装置２８がアラーム信号を受信すると、該装置は、通信ユニット３２を制御して、該アラーム情報を事前設定された連絡人に送信する。
【００４８】
一実施形態において、アラーム機能を有するインテリジェントウェアラブルデバイスは、時計表示機能および移動体通信機能の両方を有する。インテリジェントウェアラブルデバイスは、２Ｇ／３Ｇネットワークを用いて文字、映像、画像、また人声情報を取得および送信し、ＢＤＳ測位およびショートメッセージ機能ならびにＧＰＳをサポートし、タッチディスプレイスクリーンを有し、ローカルのストレージ機能を有することが可能である。
【００４９】
主制御装置２８は、格納ユニット３０および表示ユニット３１にそれぞれ電気的に接続される。格納ユニット３０は、ローカルストレージを拡張し、アラーム情報および証拠収集情報をローカルに格納するためにＳＤカードの挿入をサポートするマイクロ−ＳＤインターフェースを備える。表示ユニット３１はタッチスクリーン３３を含む。タッチスクリーン３３は、情報を表示し、ユーザの設定した情報を主制御装置２８に送信するため使用され、これらの情報は、文字、画像、映像などを含む。
【００５０】
一実施形態において、主制御装置２８は、ＡＲＭアーキテクチャ中の符号化チップによって実装される。主制御装置２８は、リナックス（登録商標）開発プラットフォームに基づいており、組み込みアンドロイドオペレーティングシステムを有する。これは、映像信号および音声信号を圧縮し符号化することができる。一般に、映像信号の圧縮方法は、ハードウェア符号化圧縮およびソフトウェア圧縮を含み、その符号化規格はＨ．２６４など多様なフォーマットを含む。音声信号の圧縮方法は、ハードウェア符号化圧縮およびソフトウェア圧縮を含み、その符号化規格はＧ．７１１など多様なフォーマットを含む。符号化映像／音声データは、ボタン、振動、心拍、および音声などの分析データとともに、通信ユニットによってインテリジェントアラームオペレーションセンタに送信することが可能である。
【００５１】
本発明によるインテリジェントウェアラブルデバイスは、安全状態およびトリガ状態、それぞれ２つの状態を取ることが可能である。例えば、安全状態では、タッチ液晶ディスプレイ画面は、クロックインターフェースを表示し、この画面から、任意の電話機能、限定された電話機能、ワイヤレスイヤホン電話、歩数計、または他の移動体通信機能を実施するため、アンドロイドオペレーティングシステムの対話インターフェースに入力を行うタブを設定する。
【００５２】
インテリジェントウェアラブルデバイス内には測位システムが設けられており、ＧＰＳまたはＤＢＳを含み、該システムはユーザに個人位置情報、個人活動マップ情報、およびインテリジェントアラームシステムオペレーションセンタに記録された個人設定情報をフィードバックする。組み込まれた環境安全および食品安全検出アプリケーションは、ユーザのセットアップに従って、リアルタイムモニタリングおよびマニュアル検出モードを実施する。
【００５３】
環境安全および食品安全状態検出が実施されるときは、近辺の環境エア品質および食品の風味を収集し分析するために、本デバイスの底部のガス穴が開けられる。ホルムアルデヒド、ベンゼン、アルコール、または他の毒性および有害ガスが環境中に存在する、または食品が臭気（腐敗または殺虫剤残渣）を発している場合、デバイスはユーザに気付かせるため振動する。本デバイスは、全面的アラーム機能、およびインテリジェントアラームモード、ならびに知的化された生成物を有する。
【００５４】
図３は、本発明による、アラーム機能を有するインテリジェントウェアラブルデバイスの警告状態の動作の概略図である。図３に示されるように、アラームボタンのトリガ、人声異常（高デシベルアラームおよびキーワードアラームを含む）、振動異常、心拍異常、または個人位置情報異常が発生した場合、アラームがトリガされ、警告状態に入る。ユーザセットアップの警告状態に従って、映像および画面情報を取り込み送信するためカメラがオンにされ、リアルタイムで音声情報を送信するためピックアップがオンにされる。位置情報がインテリジェントアラームシステムオペレーションセンタに送信され、一方で、指定された連絡人に電話をかける、または情報を送信するなどのセットアップを行うことができる。これらと同期して、全ての情報および記録がローカルに格納される。
【００５５】
ボタンアラーム１は、ユーザが隠しアラームボタンをトリガすることによって、ワンタッチアラームを実現する。人声インテリジェントアラーム２には、高デシベルの人声アラームおよびキーワード人声アラームが含まれる。設定されたデシベル値より高いデシベルのサウンドが生じた場合、または設定されたキーワードが生じた場合、環境サウンドが検出され、分析され、アラームが出される。振動アラーム３は、装置が受けた異常な振動を検出することによってアラームを出すことが可能である。超高速心拍アラーム４は、装置によって、ユーザの心拍値をモニタすることでき、心拍の異常が生じた場合、アラームが出される。越境アラーム５は、ＧＰＳまたはＢＤＳによるユーザ位置情報および活動マップをリアルタイムで記録することが可能で、設定された安全区域を越えるとアラームが出される。
【００５６】
アラームを発行するため本インテリジェントウェアラブルデバイスが用いられると、ユーザの位置情報、映像、画像、文字、または人声情報は、２Ｇ／３Ｇネットワークを使って、指定された連絡人およびインテリジェントアラームシステムオペレーションセンタ７に送信される。インテリジェントアラームシステムオペレーションセンタ７は、北斗ショートメッセージの送信および受信の両方をサポートする。最後に、アラーム情報は、アラームを完了するため、公共安全、防火、病院、および交通管理などの当局に提出される。アラーム情報は、ローカルに格納することが可能である。
【００５７】
本発明のインテリジェントウェアラブルデバイスは、アラームを受信する人がいない、または乱れた信号のためアラームが出せないという状況を回避することが可能である。市販の既存技術に比較すると、本発明は、全面的なアラーム機能、インテリジェントアラームモード、広範なトリガモード、効果的なアラームモード、ならびに、隠しアラームモード、および知的化された生成物を有する。
【００５８】
図４Ａ〜４Ｃに示されるように、本発明に関わるアラーム機能を有するインテリジェントウェアラブルデバイスは、腕時計、ネックレス、またはペンダントのようなウェアラブルな形状を有し、携帯可能で、隠し型、防水および防塵である。例えば、腕時計型は、時間ディスプレイ、ならびにインテリジェント腕時計の通信機能およびネットワーク機能などを有し、ボタンアラームと、インテリジェント人声アラームと、振動アラームと、心拍アラームと、越境アラームとを含む５つのアラーム機能トリガモード、ならびに環境安全モニタリング、食品安全モニタリングの機能両方を有する。
【００５９】
腕時計型のインテリジェントウェアラブルデバイスは、カメラ１、タッチスクリーン２、マイクロフォン３、シェル４、イヤホンジャック５、スピーカ６、アラームボタン７、ＳＩＭカードスロット８、ＳＤカードスロット９、バッテリ取り付けスロット１０、およびガス感知穴１１を有する。カメラ１は画像情報を収集するのに使われ、タッチスクリーン２は、グラフィカルインターフェース、文字記録、映像画像再生などの表示セットアップに使われ、マイクロフォン３は、音声情報を収集するのに使われ、シェル４は、防水、防塵シェルであり、イヤホンジャック５は、３．５ｍｍイヤホン通信をサポートし、スピーカ６は音声を出力し、アラームボタン７は隠しアラームボタンで、ワンタッチアラーム機能を実現し、ＳＩＭカードスロット８はＳＩＭまたマイクロＳＩＭカードの取り付けに対応し、ＳＤカードスロット９は、ストレージ容量を拡張するためマイクロＳＤカードの取り付けに使われ、バッテリ取り付けスロット１０は、装置に電力を供給するため、リチウムバッテリの取り付けまたは入れ替えのため使われ、ガス感知穴１１は、ユーザの必要に応じガス穴を開閉するシャッタとして設計され、ガス感知機能を達成するために使われる。
【００６０】
一実施形態において、本発明は、バックグラウンド作業サーバ、すなわちインテリジェントアラームシステムオペレーションセンタ、および前述のアラーム機能を有するインテリジェントウェアラブルデバイスを含む、インテリジェントウェアラブルデバイスシステムを提供する。バックグラウンド作業サーバは、アラーム情報に応じてアラームを処理する。バックグラウンド作業サーバは、受信したアラーム情報を格納し分析して、該アラーム情報を、その分析結果に応じて様々なアラーム処理システムに送信する。これらのアラーム処理システムは、公共安全局システム、衛生局システム、および防火局システム、交通管理局システムなどを含む。
【００６１】
前述の実施形態で提示された、アラーム機能を有するインテリジェントウェアラブルデバイスおよびシステムは、多様なアラームモードをサポートする。アラームがトリガされた後、本デバイスは、アラーム情報を、インテリジェントアラームシステムオペレーションセンタに自動的に送信する。アラーム情報を受信すると、インテリジェントアラームシステムオペレーションセンタは、そのアラーム情報を分析、格納し、警告状態を処理するため、それを、公共安全局、衛生局、防火局、および交通管理局などに送信する。特定の連絡人を設定することができ、アラームがトリガされた後、もう一方では、当該情報が移動体ネットワークを介してその特定の連絡人に送信される。ローカルのストレージ機能はサポートされる。環境安全モニタリング機能および食品安全モニタリング機能の両方が達成される。劣悪な環境エア品質または食品の臭気の場合、本デバイスは、ユーザに気付かせるため振動する。
【００６２】
前述の実施形態で提示された、アラーム機能を有するインテリジェントウェアラブルデバイスおよびシステムは、市販のインテリジェントデバイスが全面的な安全保護アラーム手段を欠き、そのアラーム装置が単一のトリガアラームモードである欠点を是正する。また一方で、インテリジェントアラームシステムオペレーションセンタが設立される。アラーム情報は、指定された連絡人だけでなく、２Ｇ／３Ｇネットワークまたは北斗ショートメッセージを使って個人オペレーションセンタに直接送信される。ユーザ情報を直接管理しアラーム情報を処理するのはオペレーションセンタであり、これにより、アラームを受信する人がいない、または乱れた信号のためアラームが発出できないという状況を回避する。市販の既存技術に比べて、本デバイスおよびシステムは、全面的なアラーム機能、インテリジェントアラームモード、広範なトリガモード、効果的なアラームモード、ならびに、隠しアラームモード、および知的化された生成物を有する。
【００６３】
例えば、ソフトウェア、ハードウェア、およびファームウェアのいずれかまたは組み合せによって、本発明の方法およびシステムを多くの仕方で実装することが可能性であろう。方法ステップの前述した順序は、単なる説明のためのものであり、本発明の方法ステップは、特に指定が或る場合を除き前述の順序に限定されない。加えて、いくつかの実施形態において、本発明を記録媒体中に記録されたプログラムとして実装することがさらに可能であり、これらのプログラムは、本発明による方法を実装するためのマシン可読命令を含む。したがって、本発明は、本発明による方法を実行するためのプログラムを格納する記録媒体をさらに網羅する。
【００６４】
本発明の説明は、例示および解説のためだけに述べられており、これは全網羅的でなく、または本発明を開示されたパターンに限定するものではない。当業者には、諸修改および変更が明らかであろう。諸実施形態の選択および説明は、本発明の原理および実際の応用をよりうまく解説し、当業者が、特定の用途に適した様々な修改を備えた多様な実施形態を設計するため、本発明を理解することができるようにする目的のためのものである。
【図１】
2018500627.tif 000003
【図２】
2018500627.tif 000004
【図３】
2018500627.tif 000005
【図４Ａ】
2018500627.tif 000006
【図４Ｂ】
2018500627.tif 000007
【図４Ｃ】
2018500627.tif 000008
【国際調査報告】
2018500627.tif 000009
2018500627.tif 000010
2018500627.tif 000011
2018500627.tif 000012
2018500627.tif 000013
2018500627.tif 000014